(57)【要約】【課題】従来のパター練習機は、カップイン時のボールのスピードに関与しないものが一般的で、実際のコースではグリーンの傾斜や芝の状態によりボールのスピードが変わり、パッティングは微妙なタッチが必要になる。アメリカに於いて、実際のコースグリーンで実験した結果、パットはカップまでの距離に関係なく、１７インチ（43センチメートル）オーバーさせるボールのスピードが、最もカップインの確率が高いことが判明している。【解決手段】本発明はボールが進入する傾斜板、ファーストカップ、カップに被せる着脱式キャツプ、通路、左右溝とスロープ溝、１５度傾斜した人工芝マット、装着したキャツプから４３センチメートル離れたセカンドカップ、カップ表面の漏斗板、上部溝等の構成である。カップをオーバーするタッチで目標にボールを止め、距離感を習得できる機能を有することを特徴とするパター練習機「自信がつくパットWカップ」を提供する。【選択図】図３
2014087443.tif 000002
【特許請求の範囲】
【請求項１】
カーペット敷きの床面や床に人工芝マットを敷いた先端に設置するゴルフのパター練習機であり、本機はボールが進入して傾斜板を登り詰めた位置にあるファーストカップ、ファーストカップに被せる着脱式キャップ、通路、左右溝とスロープ溝、１５度傾斜した人工芝マット、人工芝マットを登り詰めた位置にあるセカンドカップ、セカンドカップ内の漏斗板、上部溝等から構成され、パッティングに重要な距離感を習得するための構成要素を有することを特徴とするパター練習機「自信がつくパットWカップ」。
【請求項２】
ファーストカップは着脱式のキヤップを有し、キヤップを装着せずにカップインを目標にする練習と、キヤップをカップに差し込んで装着し、キヤップ表面の中央に表示したマークを目標に練習する,二通りのパッティングの練習ができることを特徴とする請求項１に記載のパター練習機「自信がつくパットWカップ」。
【請求項３】
ファーストカップに被せたキャップの表面中央に表示したマークとセカンドカップとの間隔を４３センチメートルに設定しており、パターで打ち出したボールが狙ったマーク上を通過してセカンドカップにぎりぎり届くようにパッティングの練習を行い、パッティングに重要な距離感を習得し、カップインの確率を上げることを特徴とする請求項１に記載のパター練習機「自信がつくパットWカップ」。
【請求項４】
セカンドカップのカップ縁からホール入口までの、カップ内に設けた緩く傾斜したすり鉢状の漏斗板は、セカンドカップに到達したボールのスピードの強弱で、カップインを制限する装置であり、ボールのスピードが弱くぎりぎりにカップに届けば、漏斗板面を旋回してカップインする。ボールのスピードが強いと漏斗板面を通過し、上部溝に入ることを特徴とする請求項１に記載のパター練習機「自信がつくパットWカップ」。
【発明の詳細な説明】
【技術分野】
【０００１】
本発明は、ゴルフ競技に於けるパッティングの距離感を習得するパター練習機「自信がつくパットWカップ」に関するものである。
【背景技術】
【０００２】
従来のパター練習機は、２〜３メートルの帯状人工芝マットの一端に斜面をつけ、斜面の最上部に設けたカップを目標にパッティングの練習を行うものが一般的である。パッティングはカップイン時のボールのスピードが解れば、スピードに対応してパターのストロークの調節やインパクトの力加減で距離感を出し、カップインの確率を上げることができる。しかしながらカップイン時のボールのスピードは不明である。本発明はスピードに代わる策として、カップをオーバーしてボールを止める微妙なタッチで、パッティングの距離感が習得できるように構成したパター練習機「自信がつくパットWカップ」である。先行技術として、グリーン上に設置する練習用仮想ホール（特許文献１）でパッティングの距離感を習得するものがある。
【先行技術文献】
【特許文献】
【０００３】
【特許文献１】特開２００８−４９５号公報
【非特許文献】
【０００４】
【非特許文献１】朝日ゴルフのパター練習用マット「バーディーマン」。赤外線センサーによりボールのスピードを測定、カップインしないボールは、カップをどれくらいオーバーしたかを液晶に表示する。
【発明の概要】
【発明が解決しようとする課題】
【０００５】
従来のパター練習機は、カップイン時のボールのスピードに関与せず、ひたすらカップインを目指す練習を行っていたが、これでは実際のコースグリーンでカップインの確率を上げることは難しい課題である。実際のコースグリーンでは、グリーンの傾斜や芝の状態によりパッティングは微妙なタッチが必要になる。カップインの確率を上げるには、カップをオーバーしてボールを狙った位置に止めるタッチで、距離感を習得できるパター練習機が求められる。アメリカに於いて実際のコースグリーンを使って実験した結果によると、パットはカップまでの距離に関係なく、１７インチ（43センチ）オーバーさせるスピードが、最もカップインの確率が高いことが判明している（河合書房新社発行〜パターが面白いようにはいる本p88）。
【課題を解決するための手段】
【０００６】
パッティングに重要な距離感を習得するには、使用するパター練習機の構成が大切な要となる。本発明は、ボールが進入する傾斜板、傾斜板を登り詰めたところにあるファーストカップ、ファーストカップに被せる着脱式キャップ、通路、左右溝とスロープ溝、１５度傾斜した人工芝マット、人工芝マットを登り詰めたところにあるセカンドカップ、セカンドカップ内の漏斗板、上部溝等の構成を有し、カップをオーバーしてボールを狙った位置に止めるタッチで、距離感を習得できる機能を有することを特徴とするパター練習機「自信がつくパットWカップ」である。
【発明の効果】
【０００７】
本発明のパター練習機「自信がつくパットWカップ」を使用して、後述する各段階のステップを踏んだパッティングの練習により、カップをオーバーしてボールを狙った位置に止められるようになり、パッティングの距離感が身につき、パットに自信がついてくる。各段階のステップを踏んだパッティングの練習は、ビギナーからベテランまで意外に難しくて飽きずに練習ができる。ゴルフ競技のプレー自体の楽しみに加え、パッティングの練習も楽しくなる。本発明がゴルフ界の発展に繋がるよう期待する。
【図面の簡単な説明】
【０００８】
【図１】本発明のパター練習機「自信がつくパットWカップ」の実施形態を示す斜視図であり、実施例の第１ステップを示す構成図である。
【図２】実施例の第２ステップに於ける、図１のファーストカップに装着するキャップを示す斜視図である。
【図３】本発明のパター練習機「自信がつくパットWカップ」の実施形態を示す斜視図であり、実施例の第２ステップを示す構成図である。
【図４】実施例の第３ステップに於ける、図３のセカンドカップ部のａ−ｂ切断部端面図である。
【発明を実施するための形態】
【０００９】
図１〜図４は本発明のパター練習機「自信がつくパットＷカップ」の実施形態を示す。本機の寸法は幅２２センチメートル、長さ６９センチメートル、高さ（ガード上）８.５センチメートル。本発明のパター練習機「自信がつくパットＷカップ」を使用して、最大の効果を上げる方法を後述の実施例で説明する。実施例は第１ステップ、第２ステップ、第３ステップ、第４ステップの各段階を踏んで距離感を習得する仕組みである。従来からパター練習機は、設置したカップを狙ってパッティングを行い、ひたすらカップインを目指すもので、微妙な距離感の習得には今一のところがあった。本発明のパター練習機「自信がつくパットＷカップ」は、カップインの確率を上げるため、アメリカで行われた実験結果に基づき、試行錯誤の末、登り傾斜に於ける微妙な距離感を習得できる機構にしている。本機は持ち運び易く屋内のカーペット床面や市販の人工芝マット端に設置でき、本機の上にボールも留まらず効率的に練習できる。
【実施例】
【００１０】
本発明のパター練習機「自信がつくパットＷカップ」を使用して、効果的なパッティングの練習を行うため、第１ステップ、第２ステップ、第３ステップ、第4ステップの各段階を踏んだ実施例を説明する。
【００１１】
第１ステップ：図１で高さ３センチメートルに設けた口径９センチメートルのファーストカップのカップインを第１ステップの目標にする。パターで打ち出したボールは幅１４センチメートル、長さ１５センチメートルのゴム製傾斜板を登りファーストカップに向かう。ファーストカップにカップインしたボールは左側のカップ出口から排出する。ファーストカップを外したボールは左右のスロープや側溝に入りスロープ出口から排出する。
【００１２】
第２ステップ：図１のファーストカップ部に、図２の表面がゴム製平板のキャップを装着した実施形態が図３である。第２ステップでは図３に於いてキャップ中央に表示した直径５センチメートルの白色マークをパッティングの目標にする。マーク上を通過したボールはスピードが弱いと、緩やかに傾斜した幅５センチメートル、長さ４センチメートルのゴム製通路を下り、登り傾斜の幅１３センチメートル、長さ２９センチメートルの人工芝マットの途中で停止しバックする。人工芝マットを登った位置が１３センチメートル以下であればバックしたボールは通路を登れずスロープ出口から排出する。この条件を満たすには、パッティングの微妙な調節が必要であり、打ち出したボールをマーク上で止める距離感が要求される。第2ステップではこの距離感を習得するのが狙いである。尚、ボールが人工芝マットを登り１３センチメートルを超えた位置で止まると打った方向にリターンする。
【００１３】
第３ステップ：図３でパターで打ち出したボールがキャップのマーク上を通過し、人工芝マットを１３センチメートル登った位置からセカンドカップ縁までの１６センチメートルの間で止まれば、ボールは打った方向にリターンする。第３ステップでは目標をセカンドカップの手前に設定し、ボールが打った方向にリターンするようにパッティングを行うのが狙いである。パターの芯でヒットしたボールが順回転して目標の位置に届き、正確にリターンするかを見ながらパッティングの練習を行う。
【００１４】
第４ステップ：図３はパターで打ち出したボールがファーストカップに被せたキャップのマーク上を通過し、マークから４３センチメートル離れた位置にある高さ６．５センチメートルに設けた直径９センチメートルのセカンドカップのカップインを第４ステップの目標にする。セカンドカップ部は図４の詳細断面が示すように、カップ面は緩やかな傾斜をしたすり鉢状の漏斗板とその中央にボールがぎりぎりに入るホール入口がある。漏斗板の役目はカップに到達したボールのスピードが早いと、完全にカップのセンターを捉えたボール以外は、漏斗板面からボールを外に出す機能があり、外に出たボールは上部溝に入り、左右側溝を通り排出する。したがってセカンドカップのカップインは、カップぎりぎりに到達するボールのスピードが要求される。カップぎりぎりに到達したボールは、漏斗板面を旋回して中央のホール入口に入り、トンネルを通ってホール出口から排出する。
【００１５】
第１ステップから第４ステップまでの順序を踏んだ練習により、パッティングに重要な距離感が習得できる。実際のコースグリーンに於いては、カップの先４３センチメートルに仮想カップを想定し、パターで打ち出したボールが実際のカップを通過して、仮想カップでボールが止まるようにイメージしてパッティングを行えば、カップインの確率が上がる。
【産業上の利用可能性】
【００１６】
本発明のパター練習機「自信がつくパットWカップ」は、持ち運び易く屋内のカーペット敷きの床面や床に人工芝マットを敷いた先端に設置して練習できる。またパッティングの練習のほか第１ステップに於いてはアイアンによるチップショットの練習にも活用できる。第１ステップから第４ステップまでの各ステップを踏んだパッティングの練習は、ビギナーからベテランまで意外に難しくて飽きずに練習ができる。本発明のパター練習機「自信がつくパットWカップ」で、パッティングに重要な距離感を習得すれば、カップインの確率が上がりパットに自信がついてくる。またゴルフ競技のプレー自体の楽しみに加え、パッティングの練習も楽しくなる。本発明がゴルフ界の発展に繋がるよう期待する。
【符号の説明】
【００１７】
１        傾斜板
２a       ファーストカップ
２b      キャップ
３        平板
４        マーク
５        通路
６        人工芝マット
７        セカンドカップ
８        漏斗板
９        ホール入口
１０      ホール出口
１１      上部溝
１２      ガード
１３a    右側溝
１３b    左側溝
１４a    右側スロープ
１４b    左側スロープ
１５a    右側溝、スロープ出口
１５b    左側溝、スロープ出口
１６      基台
１７      固定枠
１８      挿入部材
【図１】
2014087443.tif 000003
【図２】
2014087443.tif 000004
【図３】
2014087443.tif 000005
【図４】
2014087443.tif 000006